(57)【要約】【課題】放送受信を行いつつ良好に通信を行うことが可能な通信端末および、これに用いられる信号切換回路を提供する。【解決手段】通信端末は、放送を受信する放送受信機能および基地局と通信を行う通信機能を有し、信号を受信するアンテナと、受信信号に含まれる通信信号を処理する通信処理手段と、受信信号に含まれる放送信号を処理する放送処理手段と、受信信号を通信処理手段と放送処理手段の少なくとも１つに入力する信号切換手段と、制御手段とを備える。制御手段は、放送受信機能が起動の有無や、放送信号の強度、基地局から送信された制御信号に応じて、信号切換手段を制御する。【選択図】  図１
2011234147.tif 000002
【特許請求の範囲】
【請求項１】
第１のアンテナと第２のアンテナを備え、放送を受信する放送受信機能および基地局と通信を行う通信機能を有する通信端末であって、
前記第１のアンテナにより受信された信号の中から通信信号を分離する第１の通信フィルタ手段と、
前記第１のフィルタ手段から出力された通信信号を復調する第１の復調手段と、
前記第２のアンテナにより受信された信号の中から通信信号を分離する第２の通信フィルタ手段と、
前記第２のフィルタ手段から出力された通信信号を復調する第２の復調手段と、
前記第２のアンテナにより受信された信号の中から放送信号を分離する放送フィルタ手段と、
前記放送フィルタ手段から出力された放送信号を復調するチューナと、
前記第２のアンテナにより受信された信号を前記第２の通信フィルタ手段と前記放送フィルタ手段の少なくとも１つに入力する信号切換手段と、
前記信号切換手段を制御する制御手段と、を備え、
前記制御手段は、前記放送受信機能が起動されていない場合、前記第２のアンテナにより受信された信号を前記第２の通信フィルタ手段に出力するように前記信号切換手段を制御し、前記放送受信機能が起動されている場合、前記チューナにより復調された放送信号の強度に応じて、前記第２のアンテナにより受信された信号を、前記第２の通信フィルタおよび前記放送フィルタ、あるいは前記放送フィルタに入力するように前記信号切換手段を制御することを特徴とする通信端末。
【請求項２】
第１のアンテナと第２のアンテナを備え、放送を受信する放送受信機能および基地局と通信を行う通信機能を有する通信端末であって、
前記第１のアンテナにより受信された信号の中から通信信号を分離する第１の通信フィルタ手段と、
前記第１のフィルタ手段から出力された通信信号を復調する第１の復調手段と、
前記第２のアンテナにより受信された信号の中から通信信号を分離する第２の通信フィルタ手段と、
前記第２のフィルタ手段から出力された通信信号を復調する第２の復調手段と、
前記第２のアンテナにより受信された信号の中から放送信号を分離する放送フィルタ手段と、
前記放送フィルタ手段から出力された放送信号を復調するチューナと、
前記第２のアンテナにより受信された信号を前記第２の通信フィルタ手段と前記放送フィルタ手段の少なくとも１つに入力する信号切換手段と、
前記信号切換手段を制御する制御手段と、を備え、
前記制御手段は、前記放送受信機能が起動されていない場合、前記第２のアンテナにより受信された信号を前記第２の通信フィルタ手段に出力するように前記信号切換手段を制御し、前記放送受信機能が起動されている場合、前記基地局から送信された制御信号に応じて、前記第２のアンテナにより受信された信号を、前記第２の通信フィルタおよび前記放送フィルタ、あるいは前記放送フィルタに入力するように前記信号切換手段を制御することを特徴とする通信端末。
【請求項３】
第１のアンテナと第２のアンテナを備え、放送を受信する放送受信機能および基地局と通信を行う通信機能を有する通信端末であって、
前記第１のアンテナにより受信された信号の中から通信信号を分離する第１の通信フィルタ手段と、
前記第１のフィルタ手段から出力された通信信号を復調する第１の復調手段と、
前記第２のアンテナにより受信された信号の中から通信信号を分離する第２の通信フィルタ手段と、
前記第２のフィルタ手段から出力された通信信号を復調する第２の復調手段と、
前記第２のアンテナにより受信された信号の中から放送信号を分離する放送フィルタ手段と、
前記放送フィルタ手段から出力された放送信号を復調するチューナと、
前記第２のアンテナにより受信された信号を前記第２の通信フィルタ手段と前記放送フィルタ手段の少なくとも１つに入力する信号切換手段と、
前記信号切換手段を制御する制御手段と、を備え、
前記制御手段は、前記放送受信機能が起動されていない場合、前記第２のアンテナにより受信された信号を前記第２の通信フィルタ手段に出力するように前記信号切換手段を制御し、前記放送受信機能が起動されている場合、前記チューナにより復調された放送信号の強度および前記基地局から送信された制御信号に応じて、前記第２のアンテナにより受信された信号を、前記第２の通信フィルタおよび前記放送フィルタ、あるいは前記放送フィルタに入力するように前記信号切換手段を制御することを特徴とする通信端末。
【請求項４】
前記チューナは、復調された放送信号の受信強度を判定する強度判定手段を備えていることを特徴とする請求項１または請求項３に記載の通信端末。
【請求項５】
アンテナを備え、放送を受信する放送受信機能および基地局と通信を行う通信機能を有する通信端末であって、
前記アンテナにより受信された信号に含まれる通信信号を処理する通信処理手段と、
前記アンテナにより受信された信号に含まれる放送信号を処理する放送処理手段と、
前記アンテナにより受信された信号を前記通信処理手段と前記放送処理手段の少なくとも１つに入力する信号切換手段と、
前記信号切換手段を制御する制御手段と、を備え、
前記制御手段は、前記放送受信機能が起動されていない場合、前記アンテナにより受信された信号を前記通信処理手段に出力するように前記信号切換手段を制御し、前記放送受信機能が起動されている場合、前記放送処理手段により処理された放送信号の強度あるいは前記基地局から送信された制御信号に応じて、前記アンテナにより受信された信号を、前記通信処理手段および前記放送処理手段、あるいは前記放送処理手段に入力するように前記信号切換手段を制御することを特徴とする通信端末。
【請求項６】
前記制御信号は、ＭＩＭＯ通信で用いられるレイヤ数を示す情報を有していることを特徴とする請求項２または請求項３または請求項５に記載の通信端末。
【請求項７】
前記信号切換手段は、入力された信号を分配して出力する分配器を備えていることを特徴とする請求項１ないし請求項６のいずれかに記載の通信端末。
【請求項８】
通信端末に搭載されて用いられる信号切換回路であって、
前記通信端末のアンテナで受信された信号が入力される入力部と、
前記通信端末の第１の受信回路に信号を出力する第１の出力部と、
前記通信端末の第２の受信回路に信号を出力する第２の出力部と、
前記入力部に入力された信号を前記第１の出力部と前記第２の出力部に分配して出力する分配部と、
を備え、
前記通信端末の制御部からの制御に応じて、前記入力部に入力された信号を、前記第１の出力部と前記第２の出力部のいずれかに出力、または前記分配部を用いて前記第１の出力部と前記第２の出力部の両方に出力するように切り換えを行うことを特徴とする信号切換回路。  
【発明の詳細な説明】
【技術分野】
【０００１】
本発明は、通信および放送受信の双方の機能を有する通信端末および、これに用いられる信号切換回路に関する。
【背景技術】
【０００２】
携帯電話はいわゆる第２世代や第３世代と言われる世代交代を経て、第３．９世代と言われるＬＴＥ（Ｌｏｎｇ  Ｔｅｒｍ  Ｅｖｏｌｕｔｉｏｎ）や第４世代の通信規格が検討されている。ＬＴＥ等の次世代携帯電話規格の特徴としては、複数のアンテナで異なるデータを送受信するＭＩＭＯ（Ｍｕｌｔｉ Ｉｎｐｕｔ Ｍｕｌｔｉ Ｏｕｔｐｕｔ）技術を採用している点があげられる。例えば、ＬＴＥ規格対応の携帯電話では、少なくとも二個のアンテナが必要である。
【０００３】
また、日本国内の携帯電話においては、地上波デジタル放送であるワンセグを受信する機能が多くの機種に搭載されており、海外でもその地域の放送規格に合わせた放送受信機能を持つ機種が存在する。このような放送受信機能を有する携帯電話の場合、携帯電話の通信を行う周波数帯域と放送信号が送信されている周波数帯域は異なるため、通常はそれぞれ専用のアンテナが搭載されることが多い。
【０００４】
したがって、次世代携帯電話規格に対応した携帯電話に放送受信機能を持たせようとすると、前述のＭＩＭＯ技術対応のための複数のアンテナに加えて、放送用アンテナの追加が必要である。このように多くのアンテナを携帯電話に内蔵することが求められるが、小型化が求められる携帯電話では筐体の大きさには限りがあり、数多くのアンテナを実装することは困難となってくる。
【０００５】
特許文献１には、通信用と放送用のアンテナを共用化してアンテナ数を削減し、ＲＦ（Ｒａｄｉｏ  Ｆｒｅｑｕｅｎｃｙ）信号を切換スイッチを経由して通信または放送受信部に接続する技術が提案されている。
【先行技術文献】
【特許文献】
【０００６】
【特許文献１】特開平１１-１２２１２８号公報
【発明の概要】
【発明が解決しようとする課題】
【０００７】
特許文献１に記載の構成では、アンテナからのＲＦ信号は切換スイッチによって通信または放送受信部のどちらか一方に入力されるようにするため、通信を行いながら放送受信を行うということができない。
【０００８】
本発明は、放送受信を行いつつ良好に通信を行うことが可能な通信端末および、これに用いられる信号切換回路を提供することを目的とする。
【課題を解決するための手段】
【０００９】
本発明にかかる通信端末は、放送を受信する放送受信機能および基地局と通信を行う通信機能を有し、信号を受信するアンテナと、受信信号に含まれる通信信号を処理する通信処理手段と、受信信号に含まれる放送信号を処理する放送処理手段と、受信信号を通信処理手段と放送処理手段の少なくとも１つに入力する信号切換手段と、制御手段とを備える。制御手段は、放送受信機能が起動の有無や、放送信号の強度、基地局から送信された制御信号に応じて、信号切換手段を制御する。第１のアンテナと第２のアンテナを備え、放送を受信する放送受信機能および基地局と通信を行う通信機能を有する。
【発明の効果】
【００１０】
本発明によれば、放送受信を行いつつ良好に通信を行うことが可能な通信端末および、これに用いられる信号切換回路を提供することができる。
【図面の簡単な説明】
【００１１】
【図１】通信端末の構成例を示すブロック図である。
【図２】ＲＦスイッチの構成例を示すブロック図である。
【図３】切換制御シーケンスの一例を示すフローチャートである。
【図４】第一の動作状態における接続関係を示した説明図である。
【図５】第二の動作状態における接続関係を示した説明図である。
【図６】第三の動作状態における接続関係を示した説明図である。
【発明を実施するための形態】
【００１２】
図１は、携帯電話などの通信端末の構成例を示すブロック図である。通信端末は、通信専用アンテナであるメインアンテナ２１と、ＲＦスイッチ３と、ディプレクサ４１と、通信用第一のＬＮＡ（Ｌｏｗ  Ｎｏｉｓｅ  Ａｍｐｌｉｆｉｅｒ）５１と、第一の受信ＲＦ回路７１と、放送および通信で用いられる共用アンテナであるサブアンテナ２２と、ＲＦスイッチ１と、放送用フィルタ４２と、放送用ＬＮＡ５２と、チューナ６と、通信用フィルタ４３と、通信用第二のＬＮＡ５３と、第二の受信ＲＦ回路７２と、送信回路７０と、送信用ＬＮＡ５０と、制御部８から構成される。通信方式としては、例えばＬＴＥ（Ｌｏｎｇ  Ｔｅｒｍ  Ｅｖｏｌｕｔｉｏｎ）規格に基づく方式などが用いられる。
【００１３】
ＲＦスイッチ１は、１個の入力端子から入力された信号を３個の出力端子の何れかに選択して出力する第一のスイッチ１０と、入力信号を２分配する分配器１１と、第一のスイッチ１０からの入力または分配器１１からの入力の何れかを選択して出力する第２のスイッチ１２と、第一のスイッチ１０からの入力または分配器１１からの入力の何れかを選択して出力する第３のスイッチ１３と、スイッチ１３からの入力を４個の出力端子の何れかに選択して出力するスイッチ１４から構成される。
【００１４】
本例では、受信ＲＦ回路７１、受信ＲＦ回路７２の２つの受信ＲＦ回路を備えており、通信ＲＦ信号の経路が２系統存在する。このため、本例では通信専用のアンテナはメインアンテナ１だけであるが、以下に説明するように、ＭＩＭＯによる高速通信を行うことができる。
【００１５】
まず、第一の系統の通信ＲＦ信号の受信処理について説明する。メインアンテナ２１で信号を受信すると、受信した信号をＲＦスイッチ３に入力し、４つの入出力端子の何れかから出力する。ここで、通信端末は周波数域の異なる複数のバンドを用いて通信を行うため、通信ＲＦスイッチ３はバンドごとに入出力端子を備えている。図１の例では、４つのバンドを用いる通信端末の例を示しているが、バンド数および入出力端子数をこれに限定するものではなく、使用するバンド数に対応した数の入出力端子をＲＦスイッチ３に設けるものとする。
【００１６】
ＲＦスイッチ３の出力は、ディプレクサ４１に入力される。ディプレクサ４１は、使用するバンド毎にその周波数域に対応したディプレクサデバイス（ＤＰＸ）を備える。これは、ディプレクサデバイスに要求されるＲＦ特性が極めて厳しく、単一のデバイスですべてのバンドに対応した特性を持たせることが困難なためである。そのため、前述のようにＲＦスイッチ３にバンド数に対応した数の入出力端子を設け、ＲＦスイッチ３は、使用するバンドに対応したディプレクサデバイスに信号を出力するように出力先を切換える。なお、メインアンテナ２１により受信された信号には、通信ＲＦ信号と放送ＲＦ信号が含まれるが、放送と通信で使用される周波数域は異なるため、ディプレクサ４１によりフィルタされ、通信ＲＦ信号が分離される。
【００１７】
ディプレクサ４１に入力された受信信号は、使用しているバンドに対応したディプレクサデバイスを経由し、通信用ＬＮＡ５１に分離された通信ＲＦ信号が出力される。通信用ＬＮＡ５１もバンド毎のアンプを備え、使用するバンドに対応したアンプにより通信ＲＦ信号を増幅した上で、受信ＲＦ回路７１に出力する。受信ＲＦ回路７１は、バンド毎に信号が入力される端子を持ち、ディプレクサ４１等と同様、使用しているバンドのＲＦ信号の復調処理を行うように切換を行う。
【００１８】
次に、通信ＲＦ信号の送信処理について説明する。
【００１９】
送信回路７０は送信ＲＦ信号を送信用ＬＮＡ５０に入力し、送信用ＬＮＡ５０は使用しているバンドに対応したアンプを用いて入力された送信ＲＦ信号を増幅し、通信用ディプレクサ４１に出力する。通信用ディプレクサ４１は、使用しているバンドに対応したディプレクサデバイスにより信号をフィルタして、ＲＦスイッチ３に送信ＲＦ信号を出力する。送信ＲＦ信号は、ＲＦスイッチ３を経由してメインアンテナ２１から送信される。
【００２０】
第二の系統の通信ＲＦ信号の受信処理と放送ＲＦ信号の受信処理について説明する。
【００２１】
サブアンテナ２２により受信されたＲＦ信号はＲＦスイッチ１に入力される。ＲＦスイッチ１は、放送用フィルタ４２に受信信号を出力する単一の放送側出力端子、通信用フィルタ４３に受信信号を出力する４個の通信側出力端子を備える。ＲＦスイッチ１は、制御部８からの制御により、信号を出力する出力端子を切り換える。なお、ＲＦスイッチ１の内部の動作の詳細は後述する。
【００２２】
ＲＦスイッチ１の放送側出力端子から出力された受信信号は、放送用フィルタ４２に入力される。放送用フィルタ４２は、不要な帯域外信号を除去することにより、受信信号から放送ＲＦ信号を抽出し、抽出した放送ＲＦ信号を放送用ＬＮＡ５２に出力する。放送用ＬＮＡ５２は放送ＲＦ信号を増幅し、チューナ６に出力する。チューナ６は放送ＲＦ信号から任意のチャンネルを選局して復調を行い、映像信号を出力する。なお、フィルタ４２による不要な帯域外信号の除去処理をチューナ６において実施することにより、フィルタ４２を省略した構成とすることも可能である。
【００２３】
一方、ＲＦスイッチ１の通信側出力端子から出力された受信信号は、通信用フィルタ４３に入力される。通信用フィルタ４３は、不要な帯域外信号を除去することにより、受信信号から所望の周波数域の通信ＲＦ信号を抽出し、抽出した通信ＲＦ信号を通信用ＬＮＡ５３に出力する。この際、通信用フィルタ４３は、ディプレクサ４１と同様に、単一のフィルタデバイスで要求されるＲＦ特性を満たすことが困難なため、使用するバンド毎にその周波数域に対応したフィルタデバイスを備え、スイッチ１４は使用バンドに対応したフィルタデバイスに受信信号を出力するように出力先を切換える。通信用ＬＮＡ５３もバンド毎のアンプを備えており、使用しているバンドに対応したアンプが受信ＲＦ信号を増幅し、受信ＲＦ回路７２に出力する。受信ＲＦ回路７２は、バンド毎に信号が入力される端子を持ち、使用しているバンドのＲＦ信号の復調処理を行う。
【００２４】
ＲＦスイッチ１の動作について、図３、４、５および６を用いて説明する。ＲＦスイッチ１は、放送および通信状態に応じて３つの動作状態に切り換わる様に、スイッチ１０等の切り換えを行う。
【００２５】
第一の動作状態では、サブアンテナ２２から入力された受信信号は、分配されることなくそのまま放送用フィルタ４２に出力される。この場合、制御部８は、ＲＦスイッチ１内部のスイッチ１０をスイッチ１２に信号を出力するように切換え、スイッチ１をスイッチ１０からの信号を入力するように切換える。
【００２６】
この場合の接続関係を図４に示す。サブアンテナ２２で受信された信号は、ＲＦスイッチ１から放送用フィルタ４２に出力され、放送ＲＦ信号が抽出される。抽出された放送ＲＦ信号は、放送用ＬＮＡ５２で増幅され、チューナ６により放送ＲＦ信号が復調され、映像信号が出力される。
【００２７】
一方、メインアンテナ２１で受信された信号は、スイッチ３の切換により、通信で使用するバンドに応じた通信用ディプレクサデバイスに入力される。通信用ディプレクサデバイスで分離された通信ＲＦ信号は、第一の通信用ＬＮＡ５１で増幅された後、第一の受信ＲＦ回路７１で復調処理される。また、送信回路７０から出力された送信ＲＦ信号は送信用ＬＮＡ５０で増幅され、通信用ディプレクサ４１に出力される。
【００２８】
このように、第一の動作状態では、サブアンテナ２２で受信信号は分配されないため、スイッチ１０等での損失を除けば信号レベルが下がることなく、放送用の専用アンテナを有した場合とほぼ同じ受信性能を確保することができる。なお、通信機能についてはＭＩＭＯ受信を行うことはできず、通信速度が低くなるものの、メインアンテナ２１で受信された通信ＲＦ信号により通信自体は問題なく持続することができる。
【００２９】
第二の動作状態では、サブアンテナ２２から入力された受信信号は、分配されることなくそのまま通信用フィルタ４３に出力される。この場合、制御部８は、ＲＦスイッチ１内部のスイッチ１０をスイッチ１３に信号を出力するように切換え、スイッチ１３をスイッチ１０からの信号を入力するように切換える。スイッチ１３からスイッチ１４にＲＦ信号が入力されると、スイッチ１４は、使用している通信バンドに対応したフィルタデバイスに信号を出力するように通信用フィルタ４３への出力先を切換える。
【００３０】
この場合の接続関係を図５に示す。通信用フィルタ４３に出力された受信信号は、通信用ＬＮＡ５３で増幅され、第二の受信ＲＦ回路７２で通信ＲＦ信号の復調処理が行われる。なお、メインアンテナ２１で受信された信号は、第一の動作状態と同様に受信処理が行われる。
【００３１】
このように、第二の動作状態では、サブアンテナ２２で受信した信号は分配されないため、スイッチ１０等での損失を除けば信号レベルが下がることはなく、通信用の専用アンテナを有した場合とほぼ同じ受信性能を確保することができる。この場合、メインアンテナ２１で受信した通信ＲＦ信号とサブアンテナ２２で受信した通信ＲＦ信号を用いたＭＩＭＯ受信をすることができ、通信速度を高速にすることが可能となる。
【００３２】
第三の動作状態では、サブアンテナ２２から入力された信号はＲＦスイッチ１内で分配され、放送用フィルタ４２および通信用フィルタ４３の両方に出力される。この場合、制御部８は、ＲＦスイッチ１内部のスイッチ１０を分配器１１に信号を出力するように切換え、スイッチ１２およびスイッチ１３をそれぞれ分配器１１からの信号を入力するように切換える。分配器１１は受信信号を二分配し、スイッチ１２および１３に出力する。そして、スイッチ１３からスイッチ１４に信号が入力されると、使用している通信バンドに対応したフィルタデバイスに入力された信号を出力するように、通信用フィルタ４３への出力先を切換える。
【００３３】
この場合の接続関係を図６に示す。放送用フィルタ４２に出力されたＲＦ信号は、放送用ＬＮＡ５２で増幅され、チューナ６にて放送ＲＦ信号の復調処理が行われる。一方、通信用フィルタ４３に出力された通信ＲＦ信号は、通信用ＬＮＡ５３で増幅され、第二の受信ＲＦ回路７２にて復調処理が行われる。
【００３４】
このように、第三の動作状態では、サブアンテナ２２で受信した信号は分配され、チューナ６と第二の受信ＲＦ回路７２に入力される。この場合、それぞれに入力される信号レベルは下がることになるが、ＭＩＭＯ受信を行いつつ、放送を受信することができる。通信については、第二の動作状態よりは通信状況は若干劣化するが、ＭＩＭＯ受信を使用できない第一の動作状態よりも通信速度を高速にすることが可能となる。
【００３５】
図３に、以上説明した３つの動作状態の切換を行う制御シーケンス例を説明する。本シーケンスは、通信端末の電源がＯＮになると、メモリ(図示せず)に記憶されたプログラムに基づき、制御部８により実行される。
【００３６】
まず、通信端末の放送受信機能がＯＮされているかどうかを判定する（Ｓ３１）。この判定は、例えば、放送受信のためのアプリケーションが起動されているかどうかにより行う。
【００３７】
放送受信中でないと判定した場合は（Ｓ３１ No）、第二の動作状態に切り換えるための処理を行う。具体的には、第二の受信ＲＦ回路７２の電源を入れ（Ｓ３０１）、サブアンテナ２２からの出力信号が受信ＲＦ回路７２に入力されるようにＲＦスイッチ１の切り換えを行う（Ｓ３０２）。このように制御することにより、ＭＩＭＯ受信が可能となる。なお、第二の動作状態では、端末の消費電力を低下するように、チューナ６など放送受信に用いられる構成へ電源を供給しないように制御することが望ましい。また、Ｓ３０２で切り換えを行ってから所定時間経過すると、Ｓ３１に戻り、再び放送受信中であるか否かの判定を行う。もしくは、放送受信アプリケーションの停止をＳ３１の判定のトリガーとしてもよい。
【００３８】
Ｓ３１で放送受信機能がＯＮになっていると判定した場合は、チューナ６と受信ＲＦ回路７２の電源をＯＮし（Ｓ３２、Ｓ３３）、チューナ６及び受信ＲＦ回路７２にサブアンテナ２２により受信された信号が分配されて入力されるように、ＲＦスイッチ１の切換えを行う（Ｓ３４）。
【００３９】
ＲＦスイッチ１により分配された受信信号は、放送用フィルタ４２に入力され、放送ＲＦ信号が抽出される。そして、チューナ６は、放送用ＬＮＡ５２により増幅された放送ＲＦ信号が入力されると、放送ＲＦ信号の信号レベルを判定する（Ｓ３５）。
【００４０】
信号レベルが第一の閾値Ｍ以上である場合、第三の動作状態に切り換えるために、受信ＲＦ回路７２の電源をＯＮし（Ｓ３７）、チューナ６及び受信ＲＦ回路７２にサブアンテナ２２により受信された信号が分配されて入力されるように、ＲＦスイッチ１の切換えを行う（Ｓ３８）。なお、既に受信ＲＦ回路７２の電源がＯＮになっている場合や、第三の動作状態に対応するようにＲＦスイッチ１の切換がされている場合には、Ｓ３７およびＳ３８は省略される。
【００４１】
信号レベルが第一の閾値Ｍ以上である場合とは、受信信号を二分配して信号レベルが下がったとしても、チューナ６においてエラーフリー状態を余裕を持って維持できる可能性が高い状態である。第一の閾値Ｍは、例えばエラーフリーとなる基準値に一定のマージンを加えた値として設定する。エラーフリーとなる基準値は、放送ＲＦ信号の伝送パラメータより、受信電界強度、ＲＳＳＩ（Ｒｅｃｉｖｅｄ  Ｓｉｇｎａｌ  Ｓｔｒｅｎｇｔｈ  Ｉｎｄｉｃａｔｏｒ）およびＣ／Ｎ（Ｃａｒｒｉｅｒ  ｔｏ  Ｎｏｉｚｅ）比等の理論値が一意に求まるのでこれを基準値とする。いずれの値もチューナ６から受信状態を示す値として取り出し、制御に用いることができる。マージン値については、受信端末の受信状況が大きく変化しない限り安定してエラーフリー受信を継続するために設定するものであり、目標とするエラーフリーとなる時間率を決めそれを満たすフェージングマージンとして設定することができる。
【００４２】
Ｓ３５で信号レベルが第二の閾値Ｎ未満である場合、第一の動作状態に切り換えるために、受信ＲＦ回路７２の電源をＯＦＦし（Ｓ３９）、チューナ６にサブアンテナ２２により受信された信号が入力されるように、ＲＦスイッチ１の切換えを行う（Ｓ４０）。信号レベルが第二の閾値Ｎ未満である場合とは、受信信号を二分配するとエラーフリー状態を維持できない可能性が高い状態であり、第二の閾値Ｎには、例えばエラーフリーとなる基準値を設定する。
【００４３】
そして、信号レベルが第二の閾値Ｎ以上であり、第一の閾値Ｍ未満の場合、すわなちＲＦ信号を二分配した場合にエラーフリー状態を維持できるが、マージンが小さいと判定した場合は、Ｓ３６に進む。
【００４４】
Ｓ３６では、ＭＩＭＯ受信が必要であるかどうかを判定する。ＭＩＭＯ受信を必要としない場合は、Ｓ３９に進む。一方、ＭＩＭＯ受信を必要とする場合、放送受信を行いながらＭＩＭＯ受信動作も行うために、Ｓ３７に進む。
【００４５】
以下、通信端末がＬＴＥ規格に基づく通信方式を用いている場合を例に、Ｓ３６における判定方法の詳細を説明する。
【００４６】
ＬＴＥ規格における通信速度は、ＭＩＭＯによる空間多重で作り出されるチャネル数（レイヤ数）、変調方式および誤り訂正符号の形式等、多くの伝送パラメータにより決まり、基地局は、レイヤ数や伝送処理に用いるコードワード等を伝送環境に応じて選択することができる。通信端末は、端末の受信状態を示すパラメータとしてｃｈａｎｎｅｌ ｑｕａｌｉｔｙ ｉｎｄｉｃａｔｉｏｎ（ＣＱＩ），ｐｒｅｃｏｄｉｎｇ ｍａｔｒｉｘ ｉｎｄｉｃａｔｏｒ（ＰＭＩ）およびｒａｎｋ ｉｎｄｉｃａｔｉｏｎ（ＲＩ）などの情報を基地局に送信し、基地局はこれらの情報を元にしてレイヤ数を決定し、決定したレイヤ数を示す制御信号を通信端末に送信する。Ｓ３６では、基地局から受信した制御信号を用いて、ＭＩＭＯ受信を行うか否か検出する。即ち、レイヤ数が１である場合はＭＩＭＯ受信が不要であるとし、レイヤ数が２以上の場合はＭＩＭＯ受信が必要であるとする。
【００４７】
なお、通信端末は、例えば、受信ＲＦ回路７１および７２が出力したデータを再生するアプリケーションプログラムを記憶するメモリ（図示せず）と、アプリケーションプログラムを用いて再生する前に、出力されたデータをバッファリングするバッファ（図示せず）を備え、制御部８はバッファされているデータ量に応じてＲＩ値を設定し、基地局に送信するように制御する。通信回線を用いてストリーミング再生を行っている場合、通信速度が再生ストリームのビットレートを下回る場合はスムーズな再生を行うことができない。そのため、制御部８は、バッファされているデータ量が所定量以下になり、少なくなったことを検出すると、通信速度不足とみなし、ＭＩＭＯによるデータ受信を要求するために、基地局に２以上のＲＩ値を送信する。一方、バッファされているデータ量が多い場合は、ＲＩ＝１、あるいは前回通知したＲＩ値よりも低い値を通信する。
【００４８】
Ｓ３８およびＳ４０でＲＦスイッチ１の切換を行った後、所定時間経過すると、放送機能がＯＦＦされているかどうかを判定し（Ｓ４１）、ＯＦＦされていない場合は、Ｓ３５に移行する。一方、放送機能がＯＦＦされている場合には、チューナ６の電源をＯＦＦし（Ｓ４２）、Ｓ３１に移行する。
【００４９】
以上説明したように、通信端末に分配器を有するＲＦスイッチを備え、放送および通信状況に応じてサブアンテナにより受信した信号の出力を切換える。そして、放送ＲＦ信号の受信状態が良好でかつ高速通信が必要な場合は放送受信とＭＩＭＯによる高速受信を両立させる、放送ＲＦ信号の受信状態が良好ではないときはＭＩＭＯ受信を行わずに、チューナの受信状態を優先させるこ。さらに放送受信を行わないときは通常のＭＩＭＯ受信を性能劣化なしで行う。このように制御することにより、放送受信を行いつつ、良好に通信を行うことができる。
【００５０】
なお、図１に示した構成や図３に示したシーケンスは一例であって、これ限定するものではない。例えば、図３のＳ３５における放送信号の受信強度判定を２段階判定にしたり、放送信号の受信強度およびＭＩＭＯ通信の要否のいずれかを用いて動作状態の切換を行うなど、一部の構成のステップを省略するようにしても良い。但し、放送および通信状況に応じた制御をより適切に行うためには、放送信号の受信強度およびＭＩＭＯ通信の要否の双方を用いて切換制御を行うことが望ましい。また、放送信号の受信強度やＭＩＭＯ通信の要否だけでなく、他の判定を用いるなど、ステップを追加するようにしても良い。
【００５１】
また、図１に示したＲＦスイッチ１に限定するものではなく、例えば図２に示すＲＦスイッチ１００など、他の信号切換回路を用いても良い。図２は、ＲＦスイッチの構成を示すブロック図である。ＲＦスイッチ１００は、１個の入力端子から入力された信号を２個の出力端子の何れかに選択して出力する第一のスイッチ１０１と、分配器１１と、第一のスイッチ１０１からの入力を２個の出力端子の何れかに選択して出力する第５のスイッチ１０５と、第５のスイッチ１０５からの入力または分配器１１からの入力の何れかを選択して出力する第２のスイッチ１２と、第５のスイッチ１０５からの入力または分配器１１からの入力の何れかを選択して出力する第３のスイッチ１３と、第５のスイッチ１０５からの入力または分配器１１からの入力の何れかを選択して出力する第３のスイッチ１３と、スイッチ１４から構成される。
【符号の説明】
【００５２】
１    ＲＦスイッチ
３    ＲＦスイッチ
６    放送チューナ
８    制御部
２１  メインアンテナ
２２  サブアンテナ
４１  ディプレクサ
４２  放送用フィルタ
４３  通信用フィルタ
５０  送信用ＬＮＡ  
５１  第一の通信用ＬＮＡ
５２  放送用ＬＮＡ
５３  第二の通信用ＬＮＡ
７０  送信回路
７１  第一の受信ＲＦ回路
７２  第二の受信ＲＦ回路
【図１】
2011234147.tif 000003
【図２】
2011234147.tif 000004
【図３】
2011234147.tif 000005
【図４】
2011234147.tif 000006
【図５】
2011234147.tif 000007
【図６】
2011234147.tif 000008